(57)【要約】【課題】開業医やクリニック等の小規模施設において、検査オーダ情報の入力等の作業工数を増やすことなく、撮影実施者に対し、施設内に滞留している患者の状況を提供でき、診療効率を向上させることが可能となる診断システムを提供する。【解決手段】本発明に係る小規模診断システム１によれば、レセコン５において、来院した患者が受付登録されると、本日来院した患者の患者情報リストが生成され、読取装置２０２の表示部２２１に患者リスト画面が表示される。患者リスト画面から撮影対象の患者の患者情報が指定されると、当該指定された患者情報が制御装置３に送信される。画像生成装置２において生成された画像データが制御装置３に送信されると、制御装置３においては、当該画像データが読取装置２０２から受信された患者情報に対応付けられてサーバ４に保存される。【選択図】図１
2007259924.tif 000002
【特許請求の範囲】
【請求項１】
来院した患者の患者情報を受付登録する受付登録手段と、
前記受付登録手段により受付登録された患者情報のリストを生成するリスト生成手段と、
前記患者の検査対象部位の撮影画像データを生成する画像生成装置と、
を備え、
前記画像生成装置は、前記リスト生成手段により生成された患者情報のリストを表示する表示部を備えたことを特徴とする小規模診断システム。
【請求項２】
前記表示部に表示されたリストに含まれる患者情報の中から撮影対象患者の患者情報の指定を受け付ける患者指定手段と、
前記患者指定手段により指定された患者情報と、前記患者指定手段により当該患者情報が指定されてから次の患者情報が指定されるまでの間に前記画像生成装置により生成された撮影画像データとを対応付ける対応付け手段と、
前記対応付け手段により対応付けられた撮影画像データ及び患者情報を保存手段と、
を備えたことを特徴とする請求項１に記載の小規模診断システム。
【請求項３】
前記受付登録手段は、前記受付登録された患者に関する会計及びレセプトに関するレセプト関連情報を生成するレセプト情報生成手段を備えたコンピュータ装置に備えられていることを特徴とする請求項１又は２に記載の小規模診断システム。
【請求項４】
前記リスト生成手段は、少なくとも受付登録順序及び患者情報を含むリストを生成し、
前記表示部には、少なくとも受付登録順序及び患者情報を含むリストが表示されることを特徴とする請求項１〜３の何れか一項に記載の小規模診断システム。
【請求項５】
前記リスト生成手段は、前記受付登録手段により患者情報の受付登録がされた際、或いは前記レセプト情報生成手段によりレセプト関連情報の生成が終了した際に、前記リストを更新することを特徴とする請求項１〜４の何れか一項に記載の小規模診断システム。
【請求項６】
前記画像生成装置は、放射線画像読取装置であることを特徴とする請求項１〜５の何れか一項に記載の小規模診断システム。
【発明の詳細な説明】
【技術分野】
【０００１】
本発明は、主として小規模医療施設で用いられる小規模診断システムに関するものである。
【背景技術】
【０００２】
従来から、来院した患者を、ＣＲ（Computed Radiography）装置やＦＰＤ（Flat Panel Detector）装置等の画像生成装置を用いて、技師が検査対象である患者を撮影し、得られた画像が診断に提供可能となるよう階調処理等の画像処理を加え、画像処理済の画像を出力し、医師による読影に提供する診断システムが知られている。
【０００３】
このような診断システムは、来院した患者を受け付け、検査オーダを発行する担当（受付）、実際に患者を撮影室で撮影し画像データを生成する担当（技師）、階調性等の得られた画像の診断提供の可否を判断し、場合によってはコントラストや濃度を修正する担当（一般の技師の中かから任命された技師等）、画像に基づき疾病の有無を判断（診断）する読影担当（医師）等、複数の担当者が役割分担を行い、診断が進められる。
【０００４】
そして、従来の診断システムの適用が想定されていたような大規模な医療施設（以下、大規模施設という。）では、画像生成装置もこれを操作する技師等も複数存在し、画像生成装置を操作するコンソールや医師等が画像データを確認するビューワ等もそれぞれ役割を分担して別個に設けられている。このため、患者と画像データとの取り違え等が生じるおそれがある。そこで、これを防止するために、各装置をネットワークを介して連携させ、各装置においてＩＤを発行し、各装置で行われた作業工程の結果をそれぞれ関連付けるシステムが提案されている（例えば、特許文献１参照）。
【０００５】
このようなシステムにおいては、上記の各役割を担当する場所は、受付は１Ｆ、放射線科は地下等、広い病院内で離れた場所にあることが多く、かつ、放射線科内で、複数の患者を、複数の技師が、複数の撮影装置を使用して、同時に撮影を実行する場面が定常的であり、複数の患者が常時各工程に滞留しており、生成された画像と個々の患者との対応付けを間違うことが無きよう、各工程での作業毎にＩＤを付し、ＨＩＳ（Hospital Information System；病院情報システム）やＲＩＳ（Radiology Information System；放射線情報科情報システム）のネットワークを介して対応付けることが行われる（例えば、特許文献２及び特許文献３参照）。
【０００６】
例えば、１Ｆ受付窓口では、患者の主訴に基づき検査内容（撮影内容）を決定し、患者名前とともに登録する。これにより、図１１（ａ）のような患者リストが生成される。上記の患者リストは随時追加され、１Ｆの受付用のワークステーション（以下「ＷＳ」という。）に表示される。同時に、上記患者リストは、ＲＩＳ／ＨＩＳ等のネットワークを介して、Ｂ１の放射線科にあるコンソール（ここで「コンソール」とは、放射線科内にあり、撮影条件の設定やＲＩＳ／ＨＩＳの撮影オーダ情報や患者を撮影した画像を表示するワークステーションをいう）に表示される。なお、コンソールの台数は、分散処理効率を上げる為、複数設けられていることが常であるが、これらもネットワークを介して相互に接続されていおり、任意のコンソールで、所定の検査ＩＤが選択された時、複数の技師間での重複撮影を予防する為、当該患者リストに処理中である旨を告知する方法（フラッシング表示や色を変える、又は、同一検査を指定するとビープ警告する等）が用いられる。
【０００７】
放射線科の技師は、自分の身近にあるコンソールを用い、表示された患者リスト上からこれから撮影する検査ＩＤを選択し、使用するＣＲプレート（カセッテ）のＩＤ（カセッテＩＤ）を登録する。これにより、図１１（ｂ）に示すように、患者リストの「カセッテＩＤ」の欄に登録したカセッテＩＤが表示される。技師は例えば３枚のカセッテを持って、撮影室へ移動し、患者の撮影を行う。その後、撮影済みカセッテを読取装置で読み取る。読取装置は、挿入されたカセッテに貼付されたカセッテＩＤを読み取り、画像データに付帯させて当該カセッテＩＤを送信し、最終的に検査ＩＤ（患者ＩＤ）と生成される画像データの対応が付けられる。生成された画像データは、技師が前記検査ＩＤを選択したコンソールに送信され、コンソールに表示される。この段階で、撮影ポジショニングの確認を行い、ポジショニング不良の場合は再撮影を行い、濃度やコントラストの修正や周波数強調処理を適用するか否か等も判断する。その後、当該画像を読影待ち（診断待ち）サーバに保存する。読影医は、読影室のワークステーション（ビューワ機能用に高精細モニタを備えるものである場合が多い）、前記読影待ちサーバに保存された画像から所定の患者に係る画像を抽出表示させ、読影（診断）を行う。
【０００８】
そして、このような大規模施設で利用されるシステムでは、例えば患者に対して行った撮影が単純撮影なのか造影剤撮影なのか等、保険点数計算に影響する情報についても、患者の検査ＩＤやカセッテＩＤ等を登録して患者と撮影画像との対応付けを行うことにより、すべての情報が連携し、ＲＩＳ／ＨＩＳサーバ等に集約されて管理し得るようになっている。
【特許文献１】米国特許第５，３３４，８５１号明細書
【特許文献２】特開２００２−１５９４７６号公報
【特許文献３】特開２００２−３１１５２４号公報
【発明の開示】
【発明が解決しようとする課題】
【０００９】
しかしながら、本願発明者等の調査によれば、開業医やクリニックのような比較的小規模な医療施設（以下、小規模施設という）の場合は、画像生成装置の設置台数も少なく、助手が患者のポジショニングを行い、助手からポジショニング完了の連絡を受け医師がＸ線曝射スイッチを制御する場合や、患者のポジショニングを含め全ての操作を医師自身が行う場合も多い。
【００１０】
また、例えば大規模施設の場合には、撮影を行ってから医師の診断を受けるまでの間に患者は施設内の複数の階を行き来しなければならないことも想定されるが、小規模施設の場合には、施設も狭いため撮影を行ってから医師の診断を受けるまでの間の患者の移動距離も短い。
【００１１】
このような状況のもとでは撮影画像と患者とを取り違えることは考えづらく、大規模施設と同様なシステムを用いたのでは、患者氏名の入力にはじまる検査オーダ情報の生成作業等が必要となり、かえって手続きが煩雑となり、診療効率が悪い。
【００１２】
また、予め患者の患者情報や検査情報等の検査オーダ情報を生成し、当該検査オーダ情報を撮影した撮影画像と対応付けるためには、ＨＩＳ／ＲＩＳのような基幹システムに対応したネットワークで各装置を接続するようなシステムが必要となるが、このようなシステムを構築するためにはコストもかかり、小規模施設にとって負担となるとの問題もある。また、前述する大規模施設での構成コンセプトのまま各装置の数を少なくしても、小規模施設に最適とは言えない。
【００１３】
他方で、患者と撮影画像との対応付けが行われなければ、例えば同一の患者について再検査を行った場合に、過去に撮影した当該患者の撮影画像を探し出すことができず、治癒状況を判断する際の比較用画像として使用できない等、撮影画像を有効活用することができないとの問題がある。
また、開業医やクリニック等の小規模施設に於いても、撮影を実施する医師や撮影技師等の撮影実施者が施設内に滞留している撮影の可能性のある患者の状況把握を行えるようにすることは、診療効率を向上させる上で重要である。
【００１４】
そこで、本発明は以上のような課題を解決するためになされたものであり、開業医やクリニック等の小規模施設において、検査オーダ情報の入力等の作業工数を増やすことなく、撮影実施者に対し、施設内に滞留している撮影の可能性のある患者の状況を提供でき、診療効率を向上させることが可能となる診断システムを提供することを目的とする。
【課題を解決するための手段】
【００１５】
上記課題を解決するため、請求項１に記載の発明の小規模診断システムは、
来院した患者の患者情報を受付登録する受付登録手段と、
前記受付登録手段により受付登録された患者情報のリストを生成するリスト生成手段と、
前記患者の検査対象部位の撮影画像データを生成する画像生成装置と、
を備え、
前記画像生成装置は、前記リスト生成手段により生成された患者情報のリストを表示する表示部を備えたことを特徴としている。
【００１６】
請求項２に記載の発明は、請求項１に記載の発明において、
前記表示部に表示されたリストに含まれる患者情報の中から撮影対象患者の患者情報の指定を受け付ける患者指定手段と、
前記患者指定手段により指定された患者情報と、前記患者指定手段により当該患者情報が指定されてから次の患者情報が指定されるまでの間に前記画像生成装置により生成された撮影画像データとを対応付ける対応付け手段と、
前記対応付け手段により対応付けられた撮影画像データ及び患者情報を保存手段と、
を備えたことを特徴としている。
【００１７】
請求項３に記載の発明は、請求項１又は２に記載の発明において、
前記受付登録手段は、前記受付登録された患者に関する会計及びレセプトに関するレセプト関連情報を生成するレセプト情報生成手段を備えたコンピュータ装置に備えられていることを特徴としている。
【００１８】
請求項４に記載の発明は、請求項１〜３の何れか一項に記載の発明において、
前記リスト生成手段は、少なくとも受付登録順序及び患者情報を含むリストを生成し、
前記表示部には、少なくとも受付登録順序及び患者情報を含むリストが表示されることを特徴としている。
【００１９】
請求項５に記載の発明は、請求項１〜４の何れか一項に記載の発明において、
前記リスト生成手段は、前記受付登録手段により患者情報の受付登録がされた際、或いは前記レセプト情報生成手段によりレセプト関連情報の生成が終了した際に、前記リストを更新することを特徴としている。
【００２０】
請求項６に記載の発明は、請求項１〜５の何れか一項に記載の発明において、
前記画像生成装置は、放射線画像読取装置であることを特徴としている。
【発明の効果】
【００２１】
請求項１に記載の発明によれば、受付登録された患者情報を利用して、撮影のための患者リストが自動的に生成され、画像生成装置の表示部に表示されるので、従来の大病院のシステムで行われていた検査オーダ情報の専任者による入力作業を行うことなく、撮影室の撮影実施者に対し撮影対象の患者情報を提供することができる。これにより、撮影実施者が撮影室で施設内に滞留している撮影の可能性のある患者の状況を把握することが可能となり、診療効率を向上させることが可能となる。
【００２２】
請求項２に記載の発明によれば、画像生成装置の表示部に表示された患者情報のリストから指定された患者情報を、次の患者情報が指定されるまでの間に撮影された撮影画像データと自動的に対応付けるので、患者と撮影画像データとの対応付けを正確に行うことが可能となるとともに、患者と撮影画像データとの取り違えを防止するための医師の物理的、精神的な負担を軽減することが可能となり、診療効率をより向上させることが可能となる。
【００２３】
請求項３に記載の発明によれば、レセプト関連情報を生成するコンピュータ装置を用いて、患者情報のリストを生成することが可能となるので、大規模施設のように専門の作業者を設ける必要がなく、省力化が図れる。
【００２４】
請求項４に記載の発明によれば、撮影実施者が施設内に滞留している患者の受付登録順序及び患者情報を把握することが可能となる。
【００２５】
請求項５に記載の発明によれば、患者の来院と退出に伴って患者情報のリストを更新するので、撮影実施者が撮影室で施設内に滞留している撮影の可能性のある患者のアップデートな状況を把握することが可能となり、診療効率を向上させることが可能となる。
【発明を実施するための最良の形態】
【００２６】
以下、図１から図１０を参照しながら本発明に係る小規模診断システムの一実施形態について説明する。ただし、本発明は図示例のものに限定されるものではない。
【００２７】
図１は、本実施形態における小規模診断システム１のシステム構成を示すものであり、図２は、小規模診断システム１を適用した場合の各装置の医療施設における配置例を示すものである。
【００２８】
小規模診断システム１は、開業医やクリニック等の小規模施設に適用されるシステムであり、図１に示すように、画像生成装置２である超音波診断装置２ａ、内視鏡装置２ｂ、ＣＲ装置２ｃと、制御装置３と、サーバ４と、レセプト用コンピュータ（以下、レセコンという。）５とから構成されており、各装置は、例えば図示しないスイッチングハブ等を介してＬＡＮ（Local Area Network）等の通信ネットワーク（以下単に「ネットワーク」という）６に接続されている。
【００２９】
病院内の通信方式としては、一般的に、ＤＩＣＯＭ（Digital Image and Communications in Medicine）規格が用いられており、ＬＡＮ接続された各装置間の通信では、ＤＩＣＯＭ  ＭＷＭ(Modality Worklist Management)やＤＩＣＯＭ  ＭＰＰＳ（Modality Performed Procedure Step）が用いられる。なお、本実施形態に適用可能な通信方式はこれに限定されない。
【００３０】
例えば、開業医やクリニック等のような小規模施設においては、各装置は図２に示すように配置される。
すなわち、入口１０を入ると患者の受付けを行う受付１１と待合室１２がある。受付１１には窓口担当が配置され、当該担当は、来院した患者に対して、受付順に個々の患者を区別するための受付番号（本日の受付順の通し番号）が印刷された受付番号札を付与する。また、受付１１には、保険点数計算、会計計算等を行うレセコン５が設けられており、窓口担当は、患者の氏名を聞き取り、レセコン５に受付番号と患者氏名との対応付けを入力する。更に、窓口担当は、患者の診察終了後カルテ情報に基づき、レセコン５に会計及びレセプト（会計計算や保険点数請求計算）に関する情報（以下、レセプト関連情報という。）の必要事項を入力する作業も行う。
【００３１】
待合室１２の隣には、ドア等を隔てて医師が患者の診察、診断等を行う診察室１３が設けられている。例えば診察室１３内の診察用のデスク（図示せず）の上には、医師が患者の撮影画像を表示して画像診断を行うための制御装置３と、撮影画像の画像データを保存する画像ＤＢ（Data Base）４０を備えたサーバ４が配置されている。診察室１３内にはまた、プライバシー等の観点から隔離された空間で行う必要性の低い超音波診断装置２ａが設置されている。
【００３２】
また、廊下１４を隔てて診察室１３の向かい側にはＸ線撮影を行うＸ線撮影室１５が設けられている。Ｘ線撮影室１５内には、撮影装置２０１と読取装置２０２とから構成されるＣＲ装置２ｃが配設されている。さらに、Ｘ線撮影室１５の隣には検査室１６が設けられており、検査室１６内には内視鏡装置２ｂが配設されている。
【００３３】
以下、小規模診断システム１について詳述する。
まず、各装置の構成について説明する。
画像生成装置２は、例えば、超音波診断装置２ａ、内視鏡装置２ｂ、ＣＲ装置２ｃ等の、患者の検査対象部位を被写体として撮影を行い、撮影した画像をデジタル変換して撮影画像の画像データを生成するモダリティである。
【００３４】
超音波診断装置２ａは、超音波を出力する超音波プローブと、超音波プローブに接続され、超音波プローブで受信された音波（エコー信号）を内部組織の撮影画像の画像データに変換する電子装置とから構成されている（いずれも図示せず）。超音波診断装置２ａは、超音波プローブから体内に超音波を送り、体内組織に反射した音波（エコー信号）を再び超音波プローブで受信して、このエコー信号に応じた撮影画像を電子装置によって生成するようになっている。  
【００３５】
超音波診断装置２ａには、アナログ信号からデジタル信号への変換等を行う変換手段（コンバータ）である変換装置２０が接続されており、超音波診断装置２ａは、変換装置２０を介してネットワーク６に接続されている。このように変換装置２０を介することにより、ネットワーク６に接続された他の外部機器の規格（例えば、通信プロトコル）等に合わない形式のデータが超音波診断装置２ａから出力される場合でも適宜変換してネットワーク６に接続された外部機器との間でデータの送受信を行うことができる。
【００３６】
内視鏡装置２ｂは、可撓性を有する管の先端部に小型の撮影装置が設けられたものであり（いずれも図示せず）、撮影装置は例えば光学レンズ等で構成される対物光学系と、対物光学系の結像位置に配置された撮像部と、ＬＥＤ（Light Emitting Diode）等で構成され撮像を行うために必要な照明を行う照明部とを備えている（いずれも図示せず）。撮像部は、例えばＣＣＤ（Charge Coupled Device）、ＣＭＯＳ（Complementary Metal-Oxide
Semiconductor）等の固体撮像素子を備え、光が入射すると光の入射光量に応じた量の電気的な信号へと光電変換する。対物光学系は、照明部により照明された領域を光学レンズで集光し、撮像部が有する固体撮像素子に結像するように構成されており、固体撮像素子に入射した光が光電変換されることにより、電気信号として撮影画像の画像データが出力されるようになっている。
【００３７】
ＣＲ装置２ｃは、輝尽性蛍光体を用いて被写体を放射線撮影し、被写体を透過した放射線エネルギーを輝尽性蛍光体に蓄積させ、輝尽性蛍光体に蓄積された画像を読み取ることにより撮影画像の画像データの生成を行う装置である。ＣＲ装置２ｃは、読取装置（放射線画像読取装置）が放射線源を有するとともに輝尽性蛍光体を内蔵しており、撮影〜読取までを１台で行うタイプと、輝尽性蛍光体プレートを収容した持ち運び可能なカセッテを用いるタイプとがある。本実施の形態においては、カセッテタイプのＣＲ装置を例にとり説明するが、これに限定されるものではない。
【００３８】
ＣＲ装置２ｃは、放射線源を有する撮影装置２０１と、撮影装置２０１において放射線撮影に供されたカセッテに収容された輝尽性蛍光体プレートから画像を読み取って撮影画像データを生成する読取装置２０２により構成されている（図２参照）。
【００３９】
図３は、読取装置２０２の機能的構成を示すブロック図である。図３に示すように、読取装置２０２は、ＣＰＵ２１、操作表示部２２、通信部２３、ＲＡＭ２４、記憶部２５、画像生成部２６等を備え、各部はバス２７により接続されている。
【００４０】
ＣＰＵ２１は、記憶部２５に記憶されている制御プログラムを読み出し、ＲＡＭ２４内に形成されたワークエリアに展開し、該制御プログラムに従って読取装置２０２の各部を制御する。また、ＣＰＵ２１は、制御プログラムに従って、記憶部２５に記憶されている各種処理プログラムを読み出してワークエリアに展開し、読み出したプログラムとの協働により、図７に示す読取装置２０２側処理を始めとする各種処理を実行する。
【００４１】
操作表示部２２は、表示部２２１、タッチパネル２２２を備えて構成される。表示部２２１は、ＬＣＤ（Liquid Crystal Display）等からなる表示画面により構成され、ＣＰＵ２１から入力される表示信号の指示に従って、表示画面上に、患者リスト等を表示する。
【００４２】
タッチパネル２２２は、表示部２２１の上面を覆うように設置されており、ユーザの指などを用いた操作によって押圧入力された所望の入力位置を検出し、その検出信号をＣＰＵ２１に出力する。
【００４３】
通信部２３は、ネットワークインターフェース等により構成され、ネットワーク６に接続された外部機器とデータの送受信を行う。
【００４４】
ＲＡＭ２４は、ＣＰＵ２１により実行制御される各種処理において、記憶部２５から読み出されたＣＰＵ２１で実行可能な各種プログラム、入力若しくは出力データ、及びパラメータ等の一時的に記憶するワークエリアを形成する。
【００４５】
記憶部２５は、不揮発性の半導体メモリ等により構成され、ＣＰＵ２１で実行される制御プログラム、各種プログラム、各種データ等を記憶する。
【００４６】
画像生成部２６は、放射線撮影に供されたカセッテを装着可能に構成され、装着されたカセッテから輝尽性蛍光体プレートを取り出して励起光で走査して、輝尽性蛍光体プレートに蓄積・保存された放射線画像情報を輝尽発光させ、この輝尽発光光を光電的に読み取って得られた画像信号に基づき画像データを生成する。なお、画像生成部２６のカセッテ装着部分には、カセッテの装着の有無を検知する装着検知センサが設けられている。
【００４７】
制御装置３は、例えば診察室１３に設置され、画像生成装置２から送信された画像データと患者情報との対応付けを行ったり、医師が画像等を表示させて読影診断を行ったりするためのワークステーションであり、一般的なＰＣ（Personal Computer）に用いられ
るモニタ（表示部）よりも高精細のモニタを備えるものであってもよい。
【００４８】
図４は、制御装置３の機能的構成を示すブロック図である。図４に示すように制御装置３は、ＣＰＵ３１、ＲＡＭ３２、記憶部３３、入力部３４、表示部３５、通信部３６等を備えて構成されており、各部はバス３７により接続されている。
【００４９】
ＣＰＵ３１は、記憶部３３に記憶されているシステムプログラムや処理プログラム等の各種プログラムを読み出してＲＡＭ３２に展開し、展開されたプログラムに従って、図７に示す制御装置３側処理を始めとする各種処理を実行する。
【００５０】
ＲＡＭ３２は、ＣＰＵ３１により実行制御される各種処理において、記憶部３３から読み出されたＣＰＵ３１で実行可能な各種プログラム、入力若しくは出力データ、及びパラメータ等の一時的に記憶するワークエリアを形成する。例えば、ＲＡＭ３２は、読取装置２０２から受信された患者情報を一時的に記憶する患者情報領域を形成する。
【００５１】
記憶部３３は、ＨＤＤ（Hard Disc）や半導体の不揮発性メモリ等により構成される。記憶部３３には、ＣＰＵ３１で実行されるシステムプログラムや、各種プログラムが記憶されているほか、特開Ｈ１１−８５９５０や特開２００１−７６１４１の明細書中に開示されているような撮影部位を識別するための部位識別パラメータ（撮影画像に現われた撮影対象の輪郭、形状等と撮影部位とを対応付けるルックアップテーブル等）及び識別された撮影部位に応じた画像処理を行う画像処理パラメータ（階調処理に用いる階調曲線を定義したルックアップテーブル、周波数処理の強調度等）等が記憶されている。
【００５２】
また、記憶部３３は、画像生成装置２から送信された画像データを一時的に保存する一時記憶部３３１を有している。
【００５３】
入力部３４は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号としてＣＰＵ３１に出力する。
【００５４】
表示部３５は、例えば、ＣＲＴ（Cathode Ray Tube）やＬＣＤ（Liquid Crystal Display）等のモニタを備えて構成されており、ＣＰＵ３１から入力される表示信号の指示に従って、各種画面を表示する。
【００５５】
通信部３６は、ネットワークインターフェース等により構成され、スイッチングハブを介してネットワーク６に接続された外部機器との間でデータの送受信を行う。
【００５６】
図１に戻り、サーバ４は、ＣＰＵ、ＲＡＭ、ＨＤＤ等により構成される記憶部、ネットワーク６に接続された各装置との通信を制御する通信部（いずれも図示せず）等を備えて構成されたコンピュータである。サーバ４は、画像ＤＢ４０を備えておりＣＰＵと記憶部に記憶されたプログラムとの協働によるソフトウエア処理により、通信部を介して制御装置３から書込み指示された撮影画像の画像データ及びその付帯情報（患者情報を含む情報）を対応付けて画像記憶手段としての画像ＤＢ４０に格納するとともに、制御装置３からの要求に応じて画像ＤＢ４０を検索して要求に応じた画像データ及びその付帯情報を読み出し、制御装置３に送信する。
【００５７】
レセコン５は、来院した患者の受付登録、会計計算、保険点数計算等を行うためのコンピュータ装置である。
【００５８】
図５は、レセコン５の機能的構成を示すブロック図である。図５に示すようにレセコン５は、ＣＰＵ５１、ＲＡＭ５２、記憶部５３、入力部５４、表示部５５、通信部５６、レセプトＤＢ５７等を備えて構成され、各部はバス５８を介して接続されている。
【００５９】
ＣＰＵ５１は、記憶部５３に記憶されているシステムプログラムや処理プログラム等の各種プログラムを読み出してＲＡＭ５２に展開し、展開されたプログラムに従って、図７に示すレセコン５側処理をはじめとする各種処理を実行し、受付登録手段、リスト生成手段、レセプト情報生成手段を実現する。
【００６０】
記憶部５３は、ＨＤＤ（Hard Disc）や半導体の不揮発性メモリ等により構成され、ＣＰＵ５１で実行されるシステムプログラム、各種処理プログラム、各種データ等を記憶する。
【００６１】
入力部５４は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号としてＣＰＵ５１に出力する。
【００６２】
表示部５５は、例えば、ＣＲＴやＬＣＤ等のモニタを備えて構成されており、ＣＰＵ５１から入力される表示信号の指示に従って、各種画面を表示する。
【００６３】
通信部５６は、ネットワークインターフェース等により構成され、スイッチングハブを介してネットワーク６に接続された外部機器との間でデータの送受信を行う。
【００６４】
レセプトＤＢ５７は、来院した患者に関するレセプト関連情報を患者情報と対応付けて格納するデータベースである。図６に、レセプトＤＢ５７のデータ格納例を示す。レセプトＤＢ５７は、来院した各患者のレセプト関連情報を格納するデータベースであり、図６に示すように、患者の受付日付を格納する「受付日付」項目、患者に付与した受付番号を格納する「受付番号」項目、患者情報（ここでは、患者氏名とする）を格納する「患者情報」項目、受付日付において当該患者に撮影された画像の枚数を格納する「撮影数」項目、造影剤を用いた撮影枚数を格納する「造影数」項目、撮影を行った画像生成装置２の種類を格納する「モダリティ」項目、撮影部位の情報を格納する「部位」項目、「受付日付において患者に処方された薬剤の情報を格納する「投薬」項目、受付日付において医師が診断した傷病名を格納する「傷病名」項目、後述する制御装置３から入力されたコメントを格納する「コメント」項目、算出された保険点数を格納する「保険点数」項目等を有している。
【００６５】
次に、小規模診断システム１の動作について説明する。
図７は、一の患者が来院してから退出するまでに小規模診断システム１において実行される処理の流れを示すフローチャートである。以下、図７を参照しながら、一の患者が来院してから退出するまでの小規模診断システム１における一連の処理の流れについて、施設内スタッフ（医師、撮影技師、窓口担当）のワークフローと併せて説明する。
【００６６】
まず、受付１１において、窓口担当により、来院した患者に受付番号札が付与され、患者氏名の聞き取りが行われる。次いで、レセコン５の入力部５４を操作して受付入力画面５５１（図８参照）を表示させ、入力部５４により受付番号、及び患者氏名等の患者情報の入力が行われる。
レセコン５においては、入力部５４からの受付入力画面５５１の表示指示が入力されると、表示部５５に、受付番号、患者情報を入力するための受付入力画面５５１が表示され、当該受付入力画面５５１を介して入力部５４により受付番号及び患者氏名等の患者情報の入力が行われると（ステップＳ１）、レセプトＤＢ５７に新規レコードが追加され、現在日付が「受付日付」項目に、入力された受付番号が「受付番号」項目に、入力された患者情報が「患者情報」項目に書き込まれ、受付登録される（ステップＳ２）。図８に、受付入力画面５５１の一例を示す。
【００６７】
レセコン５において、受付登録がされると、受付登録された患者の患者リスト情報が生成（又は、更新）される（ステップＳ３）。患者リスト情報は、例えば、最初の患者が受付登録されると生成され、ＲＡＭ５２の所定領域に記憶され、次の患者が受付登録される毎に新しい患者リスト情報に更新される。患者リスト情報は、例えば、レセプトＤＢ５７から現在日付が「受付日付」項目に格納されており、かつ、「受付日付」、「受付番号」、「患者情報」以外の項目にデータが格納されていないレコードが抽出され、抽出されたレコードに基づいて生成される。患者リスト情報は、少なくとも、受付順序を示す受付番号及び患者氏名等の患者情報が含まれる。生成又は更新された患者リスト情報は、通信部５６により読取装置２０２に送信される（ステップＳ４）。読取装置２０２において、通信部２３を介して患者リスト情報が受信されると、受信された患者リスト情報に基づき、患者リスト画面２２３が表示部２２１に表示される（ステップＳ５）。
【００６８】
受付番号が付与された患者は、待合室１２で待機したのち、診察室１３に移動する。診察室１３においては、医師により患者の問診が行われ、当該患者に対して行うべき撮影（画像生成装置２の種類、撮影部位、撮影方向、撮影枚数等）が決定される。患者は、医師や撮影技師等の撮影を行う撮影実施者の指示のもと、撮影を行う画像生成装置２（超音波診断装置２ａ、内視鏡装置２ｂ、又はＣＲ装置２ｃ）の前に移動する。
【００６９】
撮影実施者は、撮影を行う画像生成装置２の前に患者を移動させた後、読取装置２０２の前に行き、表示部２２１に表示された患者リスト画面２２３から撮影対象の患者情報の指定を行う。
【００７０】
図９（ａ）（ｂ）に、患者リスト画面２２３の例を示す。患者リスト画面２２３は、患者の患者情報をリスト表示するとともに、患者リストから撮影対象の患者の患者情報の指定を受け付ける患者指定手段として機能するものである。
【００７１】
図９（ａ）は、患者リスト情報の先頭の情報から、患者一人ずつの受付番号及び患者情報を表示する態様とした患者リスト画面である。当該患者リスト画面２２３においては、患者リスト情報が受信されると、先頭の情報がまず表示され、「スキップ」ボタンがタッチされると、患者リスト情報における次の情報が表示される。撮影対象の患者の患者情報を表示した状態で画面上がタッチされると、表示された患者情報が撮影対象の患者の患者情報として指定される。図９（ａ）に示す患者リスト画面２２３の表示は、表示部２２１の画面が小さい場合に患者リストを見やすく表示することができる。
【００７２】
図９（ｂ）は、患者リスト情報を一覧表示する態様とした患者リスト画面である。撮影対象の患者の患者情報がタッチされることにより選択され、さらに「選択」ボタンがタッチされると、選択された患者情報が撮影対象の患者の患者情報として指定される。図９（ｂ）に示す患者リスト画面２２３は表示部２２１の画面が大きい場合に、患者リストを見やすく表示することができる。なお、表示部２２１の画面が小さい場合、各患者情報の表示領域が小さくなるため、タッチパネルによる患者情報の選択がしづらくなる。そこで、タッチパネル２２２の変わりに、別途、テンキー等を設け、患者リストを参照して撮影対象として指定する患者情報に対応する検索用ＩＤ（ここでは、受付番号）がテンキーを介して入力されると、入力された検索用ＩＤに対応する患者情報が撮影対象の患者情報として指定される態様としてもよい。
【００７３】
図９（ａ）、（ｂ）のような、受付登録され、まだ退出していない患者、即ち、施設内に滞留している患者のリスト画面をＸ線撮影室１５内の読取装置２０２に表示することにより、撮影実施者は、施設内に滞留している患者のアップデートな状況を容易に確認、把握することが可能となり、診療効率を向上させることが可能となる。
【００７４】
読取装置２０２においては、タッチパネル２２２により患者リスト画面２２３から患者情報が指定されると（ステップＳ６）、指定された患者情報が通信部２３を介して制御装置３に送信される（ステップＳ７）。制御装置３においては、読取装置２０２から患者情報が受信されると、受信された患者情報がＲＡＭ３２の患者情報領域に記憶（上書き保存）される（ステップＳ８）。
【００７５】
患者情報の指定が終了すると、撮影実施者は、撮影を行う画像生成装置２に移動して、患者の検査対象部位を被写体として撮影を行い、撮影画像の画像データの生成を行う。撮影を行う画像生成装置２がＣＲ装置２ｃの場合、撮影装置２０１において撮影を行い、撮影済みのカセッテを読取装置２０２にセットし、カセッテに記録された放射線画像の読み取りを行う。読取装置２０２においては、撮影済みのカセッテが装着されると（ステップＳ９；ＹＥＳ）、画像生成部２６により、装着されたカセッテに記録された放射線画像の読み取りが行われて画像データが生成され（ステップＳ１０）、通信部２３を介して制御装置３に送信される（ステップＳ１１）。なお、生成された画像データには、被写体となった患者の患者情報、即ち、ステップＳ７で指定された患者情報を付帯情報として付帯させて制御装置３に送信することが好ましい。一の患者の画像を複数の撮影条件で複数枚撮影した場合、ステップＳ９〜１１が繰り返し実行され、生成された全ての画像データが制御装置３に送信される。
【００７６】
撮影を行う画像生成装置２がＣＲ装置２ｃ以外の場合、即ち、超音波診断装置２ａ又は内視鏡装置２ｂである場合は、撮影実施者により、入力部から撮影が指示されると（ステップＳ１２；ＹＥＳ）、撮影が行われ（ステップＳ１３）、撮影により得られた画像データが制御装置３に送信される（ステップＳ１４）。なお、一の患者の画像を複数の撮影条件で複数枚撮影した場合、生成された全ての画像データが制御装置３に送信される。
【００７７】
制御装置３においては、読取装置２０２や他の画像生成装置２から画像データが受信されると、受信された画像データがＲＡＭ３２の患者情報領域に記憶された患者情報と対応付けられて一時記憶部３３１に記憶される（ステップＳ１５）。即ち、制御装置３においては、読取装置２０２において患者情報が指定され、その指定された患者情報が制御装置３に受信されてから、次の患者情報が読取装置２０２から指定されるまでの間、読取装置２０２や他の画像生成装置２から受信された画像データが、読取装置２０２で指定された状態となっている患者情報に対応付けられて記憶される。尚、撮影する患者が常に一人の場合（複数の患者が撮影室には存在しない場合）、読取装置２０２から制御装置３への患者情報の送信により、次の患者情報が送信されるまでの間に生成された超音波診断装置２ａや内視鏡装置２ｂの画像データも、制御装置３にて患者情報と対応付けることが可能となる。
【００７８】
撮影が終了すると、患者は診察室１３に移動する。医師は、制御装置３の入力部３４の操作により、表示部３５に図示しない画像検索画面を表示させ、対象患者の患者情報の入力を行う。制御装置３においては、入力部３４の操作に応じて画像検索画面を表示させ、入力部３４を介して患者情報の入力を受け付ける。画像検索画面が表示され、この画面から入力部３４を介して患者情報が入力されると（ステップＳ１６）、入力された患者に対応する画像データが一時記憶部３３１から抽出され、抽出された画像データに階調処理や周波数強調処理等の画像処理が施され、画像処理済みの画像データを縮小したサムネイル画像が作成され、表示部３５の撮影画像表示画面３５１に表示される（ステップＳ１７）。
【００７９】
図１０に、表示部３５に表示される撮影画像表示画面３５１の表示画面例を示す。図１０に示すように、撮影画像表示画面３５１は、抽出された画像を一覧表示するための画像表示欄３５１ａ〜３５１ｄを有している。画像表示欄３５１ａ〜３５１ｄの何れかが入力部３４のマウス等により選択されると、選択された画像がライフサイズで単独表示される。医師はこの単独表示画像により、画像の詳細を観察し読影診断を行うことができる。また、当該画面の右上には、画像処理調整欄３５１ｅが設けられており、医師は、この画像処理調整欄３５１ｅをマウス等により操作することにより、濃度やコントラストの調整を行うことができる。各画像に対応して表示されているＯＫボタン３５１ｈを押下すると、表示されている画像を画像ＤＢ４０に保存する画像として確定することができる。また、撮影画像表示画面３５１には、表示された撮影画像に対応付けられた患者情報を表示する患者情報表示欄３５１ｆが設けられている。
【００８０】
入力部３４を介して、撮影画像表示画面３５１から画像処理調整や画像の確定が行われた後（ステップＳ１８）、入力部３４により撮影画像表示画面３５１の終了ボタンが押下されることにより、診断の終了が指示されると（ステップＳ１９；ＹＥＳ）、当該患者の患者情報に対応する画像データが通信部３６を介してサーバ４に送信され、画像ＤＢ４０への保存が行われる（ステップＳ２０）。サーバ４の画像ＤＢ４０に書込まれた画像データは、一時記憶部３３１から消去される（ステップＳ２１）。
【００８１】
診察室において患者の診察が終了すると、患者は、受付１１に移動し、会計等を行う。医師は、当該患者に対する所見（診断された傷病名）、当該患者に処方した薬剤を示す投薬情報、当該患者に対して行った撮影等に関する情報（撮影を行った装置の種類、撮影枚数、造影剤の有無、撮影部位、撮影方向等）を紙カルテに記録する。そして、紙カルテを受付１１の窓口担当に回す。
【００８２】
窓口担当は、レセコン５において、レセプト関連情報入力画面（図示せず）を表示させ、レセプト関連情報入力画面から、紙カルテの記載に基づき、対象患者の受付番号及びレセプト関連情報の入力を行う。レセコン５においては、入力された情報は、レセプトＤＢ５７において、受付日付が本日で、対象患者の受付番号を有するレコードの対応する項目に登録され、保存される（ステップＳ２２）。また、入力されたレセプト関連情報に基づいて、当該患者についての会計情報・保険点数算出処理が行われる（ステップＳ２３）。窓口担当は、算出された会計情報に基づき、患者に診療費の請求を行い、会計を行う。患者は、支払いを済ませた後、退出する。
【００８３】
レセコン５においては、会計情報・保険点数算出処理が終了すると、患者が退出したものと判断され、ＲＡＭ５２に記憶されている患者リスト情報から、レセプト関連情報が登録されて会計情報・保険点数計算の対象となった患者情報が削除されて更新され（ステップＳ２４）、更新された患者リスト情報が通信部５６を介して読取装置２０２に送信される（ステップＳ２５）。読取装置２０２においては、次の撮影用に、更新された患者リスト情報に基づき患者リスト画面が表示される（ステップＳ２６）。
【００８４】
以上説明したように、小規模診断システム１によれば、レセコン５において、来院した患者が受付登録されると、本日来院した患者の患者情報リストが生成され、読取装置２０２の表示部２２１に患者リスト画面が表示される。読取装置２０２の患者リスト画面から撮影対象の患者の患者情報が指定されると、当該指定された患者情報が制御装置３に送信され、制御装置３においてＲＡＭ３２の患者情報領域に記憶される。画像生成装置２において、患者の撮影が行われ、画像データが生成されると、生成された画像データは制御装置３に送信される。制御装置３においては、画像データが受信されると、当該画像データがＲＡＭ３２の患者情報領域に記憶されている患者情報に対応付けられて一時記憶部３３１に記憶され、医師の診断に供された後、画像サーバ４の画像ＤＢ４０に保存される。
【００８５】
従って、レセコン５における受付登録された情報を利用して撮影のための患者リスト情報が自動的に生成され、読取装置２０２の表示部２２１に表示されるので、従来の大病院のシステムで行われていたような、検査オーダ情報の入力作業を専任者により実行することなく、Ｘ線撮影室において撮影実施者に対し撮影対象の患者情報を提供することができる。その結果、撮影実施者がＸ線撮影室で施設内に滞留している患者のアップデートな状況を把握することが可能となり、診療効率を向上させることが可能となる。また、表示部２２１に表示された患者リスト画面から撮影対象の患者情報が指定されると、次に別の患者情報が指定されるまでの間に読取装置２０２及び他の画像生成装置２で生成された全ての画像データが、制御装置３において、指定された患者情報に自動的に対応付けられるので、小規模施設において、患者と画像との対応付けを正確に行うことが可能となるとともに、患者と撮影画像の取り違えを防止するための医師の物理的、精神的な負担を軽減することができ、診療効率をより一層効率化することが可能となる。
【００８６】
なお、上記実施の形態における記述内容は、本発明に係る小規模診断システム１の好適な一例であり、これに限定されるものではない。
【００８７】
例えば、上記実施の形態においては、レセコン５において、患者の受付及び退出が登録されると、患者リスト情報を更新し、更新された患者リスト情報を読取装置２０２に送信することにより、現在その施設内に滞留している患者の患者リスト画面を読取装置２０２に表示させることとしたが、患者が受付登録された際には、追加された患者に関する情報（例えば、受付番号、患者情報等）をレセコン５から読取装置２０２に送信し、表示部２２１の患者リスト画面に追加させ、患者が退出登録された際には、退出した患者に関する情報（例えば、受付番号、患者情報等）をレセコン５から読取装置２０２に送信し、表示部２２１患者リスト画面から削除させるようにしてもよい。また、受付１１に患者がチェックイン、チェックアウトを入力するための端末を設け、この端末からの入力情報（入退出情報）を読取装置２０２に送信し、読取装置２０２に、現在、その施設内に滞留している患者の患者リスト画面を表示させるようにしてもよい。
【００８８】
また、受付入力画面の各患者情報に対応して、患者リストに情報を追加しない患者であることを指定するためのチェック欄やアイコン等を表示する構成とし、窓口担当は、来院した患者が、例えば、薬をもらいにきただけの場合や、直近の患者の傷病名などから撮影が必要ないと判断した場合には、その患者の受付登録の際に、患者リストに追加しないことを指定入力し、レセコン５は、当該指定がなされた患者情報を除外して患者リストを生成するようにしてもよい。また、受付番号を省き、患者情報のみを患者リストとして表示してもよい。
【００８９】
その他、本発明が本実施の形態に限定されず、適宜変更可能であることはいうまでもない。
【図面の簡単な説明】
【００９０】
【図１】本発明に係る小規模診断システム１の全体構成例を示す図である。
【図２】図１に示す小規模診断システム１を適用した場合の各装置の医療施設における配置例を示す図である。
【図３】図１に示す小規模診断システム１に適用される読取装置２０２の機能的構成を示す要部ブロック図である。
【図４】図１に示す小規模診断システム１に適用される制御装置３の機能的構成を示す要部ブロック図である。
【図５】図１に示す小規模診断システム１に適用されるレセコン５の機能的構成を示す要部ブロック図である。
【図６】図１に示すレセプトＤＢ５７のデータ格納例を示す図である。
【図７】一の患者が来院してから退出するまでに小規模診断システム１において実行される処理の流れを示すフローチャートである。
【図８】図５の表示部５５に表示される受付入力画面５５１の一例を示す図である。
【図９】図３の表示部２２１に表示される患者リスト画面２２３の一例を示す図である。
【図１０】図４の表示部３５に表示される撮影画像表示画面３５１の一例を示す図である。
【図１１】（ａ）は、従来の診断システムにおいて受付窓口で登録されるリストの一例を示す図、（ｂ）は、従来の診断システムにおいて（ａ）に示すリストに放射線科の技師がカセッテ登録した一例を示す図である。
【符号の説明】
【００９１】
１  小規模診断システム
２  画像生成装置
２ａ  超音波診断装置
２０  変換装置
２ｂ  内視鏡装置
２ｃ  ＣＲ装置
２０１  撮影装置
２０２  読取装置
２１  ＣＰＵ
２２  操作表示部
２２１  表示部
２２２  タッチパネル
２２３  患者リスト画面
２３  通信部
２４  ＲＡＭ
２５  記憶部
２６  画像生成部
２７  バス
３  制御装置
３１  ＣＰＵ
３２  ＲＡＭ
３３  記憶部
３３１  一時記憶部
３４  入力部
３５  表示部
３５１  撮影画像表示画面
３６  通信部
３７  バス  
４  サーバ
４０  画像ＤＢ
５  レセコン
５１  ＣＰＵ
５２  ＲＡＭ
５３  記憶部
５４  入力部
５５  表示部
５５１  受付入力画面
５６  通信部
５７  レセプトＤＢ
５８  バス
６  ネットワーク
【図１】
2007259924.tif 000003
【図２】
2007259924.tif 000004
【図３】
2007259924.tif 000005
【図４】
2007259924.tif 000006
【図５】
2007259924.tif 000007
【図６】
2007259924.tif 000008
【図７】
2007259924.tif 000009
【図８】
2007259924.tif 000010
【図９】
2007259924.tif 000011
【図１０】
2007259924.tif 000012
【図１１】
2007259924.tif 000013